(57)【要約】【課題】第１に、豊かな低音再生を実現でき、第２に、しかもこれは、表示面や操作面を制約，犠牲化することなく実現され、第３に、風切音も防止され、クロスオーバー周波数の自在性にも優れた、ラックマウント型のオーディオモニタを提案する。【解決手段】このオーディオモニタ１８は、高さや幅が規格サイズに規制されており、ラックにマウント収納される。そして、電子回路Ｃおよびスピーカユニット２０が内蔵されており、前面パネル３に表示器類５および操作部材６が配設されている。スピーカユニット２０は、内部側に後退配設された中高音用スピーカ２１と、より後位置に配設された低音用スピーカ２２とを、備えている。中高音用スピーカ２１の音波Ｄは、前方向に直進した後、前面パネル３の音放出口２３から外部Ａへと放出される。低音用スピーカ２２の音波Ｅは、湾曲導出ガイドされた後、共通の音放出口２３から外部Ａへと放出される。【選択図】図１
2011166471.tif 000002
【特許請求の範囲】
【請求項１】
高さや横幅が規格サイズに規制されており、上下多段のラック内の狭小スペースにマウント収納可能な、低音再生に優れたオーディオモニタであって、
ユニットケース内に、電子回路およびスピーカユニットが内蔵されると共に、前面パネルに、表示器類および操作部材が配設されており、
該スピーカユニットは、該前面パネルより内部側に後退させた位置に配設された中高音用スピーカと、該中高音用スピーカの更に後位置側に配設された低音用スピーカとを、備えており、
該中高音用スピーカからの指向性の強い音波は、前方向に直進した後、該中高音用スピーカ前方の前面パネルに対応開口形成された音放出口から、外部放出され、該低音用スピーカからの指向性の弱い音波は、湾曲導出ガイドされた後、共通の該音放出口から、外部放出されること、を特徴とするラックマウント型のオーディオモニタ。
【請求項２】
請求項１において、該低音用スピーカからの音波は、該中高音用スピーカと該音放出口との間に形成される前後間隔空間を、少なくとも経由して、該音放出口から外部放出されること、を特徴とするラックマウント型のオーディオモニタ。
【請求項３】
請求項２において、該低音用スピーカからの音波は、まず、該ユニットケースの上下面パネルとの間に形成される上下間隔空間、更には、該前面パネルの表示器類および操作部材の裏側に形成される内部空間、そして該前後間隔空間、
等にて形成されるユニットケース内の表側ゾーンを経由して、該音放出口から外部放出されること、を特徴とするラックマウント型のオーディオモニタ。
【請求項４】
請求項２において、該音放出口は、該前面パネルに加え側面パネル前端部にかけて、広い放出面積で開口形成されること、を特徴とするラックマウント型のオーディオモニタ。
【請求項５】
請求項２において、該中高音用スピーカと該低音用スピーカとは、放出する音波が同位相よりなると共に共通の音圧隔壁が設けられており、共通化されている分だけ容積が広くなった裏側密閉ゾーンを共用していること、を特徴とするラックマウント型のオーディオモニタ。
【請求項６】
請求項２において、該ユニットケースは、ＥＩＡ国際標準規格に基づくサイズよりなり、高さが４０ｍｍ〜４５ｍｍ程度、横幅が４２０ｍｍ〜４５０ｍｍ程度で、奥行きが２００ｍｍ〜４００ｍｍ程度よりなり、
該中高音用スピーカは、内部側に向け２０ｍｍ〜３０ｍｍ程度後退させた位置に、配設されていること、を特徴とするラックマウント型のオーディオモニタ。
【請求項７】
請求項２において、該中高音用スピーカは、前方向に向けて配設されており、該低音用スピーカは、上下方向に向けて配設されていること、を特徴とするラックマウント型のオーディオモニタ。
【発明の詳細な説明】
【技術分野】
【０００１】
本発明は、ラックマウント型のオーディオモニタに関する。すなわち、ラック内にマウント収納可能なオーディオモニタに関するものである。
【背景技術】
【０００２】
《技術的背景》
例えば放送局等では、オーディオ音質等の確認，監視，チェック，分析，指示用に、オーディオモニタが使用されている。
そして、この種のオーディオモニタは、上下多段のラック内の狭小スペースにマウント収納可能となっており、高さや横幅等が、規格サイズに規制されている。
この規格サイズとしては、ＥＩＡ（米国電子機械工業会）の国際標準規格が一般的であり、この規格サイズのもとオーディオモニタも、高さが４０ｍｍ〜４５ｍｍ程度、横幅が４２０ｍｍ〜４５０ｍｍ程度で、奥行きＤが２００ｍｍ〜４００ｍｍ程度となっている。
さて、従来より一般的なラックマウント型のオーディオモニタにあっては、その前面パネルに、表示器類，操作部材，スピーカ等のすべてを配設しなければならず、規格サイズ規制に鑑み、スピーカサイズや個数が著しく制約されていた。
【０００３】
《従来例１について》
図４の（１）図は、この種のラックマウント型のオーディオモニタの従来例１を示す。この従来例１のオーディオモニタ１では、ユニットケース２の前面パネル３の左右両サイドに、中高音用スピーカ４が、直接取付けにて内部配設されていた。
すなわち、上述した規格サイズ規制もとでは、中高音用スピーカ４（例えば径３５ｍｍ〜４０ｍｍの丸型スピーカや、縦横３５ｍｍ×８０ｍｍの楕円スピーカ）が、全周波数用のフルレンジスピーカとして使用されており、高音域から低音域まですべての音域をカバーしていた。
図中、５はメータやランプ等の表示器類、６はスイッチ，ボリューム等の操作部材であり、これらの表示器類５や操作部材６は、前面パネル３中央部に配設されている。
【０００４】
《従来例２について》
他方、図４の（２）図は、ラックマウント型のオーディオモニタの従来例２を示す。この従来例２のオーディオモニタ７では、中高音用スピーカ８に加え、低音用スピーカ９が採用されていた。
そしてまず、ユニットケース１０の前面パネル３の左右両サイドに、中高音用スピーカ８が直接取付けにて内部配設されている点は、上述した従来例１と同様である。
これと共に、中高音用スピーカ８の後部つまりユニットケース１０内部に、低音用スピーカ９が配設されていた。
すなわち低音用スピーカ９は、規格サイズの規制上、前面パネル３にはその取付スペースが無いので内部配設されると共に、外部Ａへの専用の音放出路１１が左右それぞれ設けられており、又、前面パネル３左右に専用の音放出口１２が、従来よりの中高音用スピーカ８用のものと並んで横に設けられていた。
【発明の概要】
【発明が解決しようとする課題】
【０００５】
ところで、このような従来例１，２については、次の課題が指摘されていた。
《従来例１の問題点》
図４の（１）図に示した従来例１のオーディオモニタ１は、従来より多用されてきたものであるが、低音再生に難がある、という問題が指摘されていた。
すなわち、まず根本原因としては、高さや横幅等の規格サイズ規制に鑑み、この従来例１では、中高音用スピーカ４のみが採用されていたので、特に３００Ｈｚ以下の低音域が再生不足となっていた。
これに加え、ユニットケース２の後部内には電子回路が内蔵されており、ジュール熱により高熱化し易いので、上面パネル１３や側面パネル１４に、多数の放熱孔１５が形成されていた。そこで放熱孔１５を介して、中高音用スピーカ４背面からの音波が外部Ａへと放出され、もって、中高音用スピーカ４前面からの音波と、背面からの逆位相の音波とが、干渉して打ち消し合うので、この面も、低音が出ない原因となっていた。
このように従来例１のオーディオモニタ１は、特に３００Ｈｚ以下の低音域が出にくく低音再生に難があり、音質の低音モニタ機能が低下する、という問題が提起されていた。
【０００６】
《従来例２の問題点》
図４の（２）図に示した従来例２のオーディオモニタ７は、上述した従来例１の問題を解決すべく開発されたが、まず、表示器類５や操作部材６が犠牲になる、という問題が指摘されていた。
すなわち従来例２では、低音用スピーカ９が採用されており、低音再生がかなり改善されるものの、そのユニットケース１０の前面パネル３に、低音用スピーカ９用の音放出口１２を設けられていた。
規格サイズ規制により、極めて限られた縦横寸法（高さ寸法と横幅寸法）よりなる前面パネル３について、この従来例２では、中高音用スピーカ８のみならず、低音用スピーカ９の音の出口である音放出口１２が、左右にそれぞれ設けられていた。
そこでその分、中央部に配設される表示器類５や操作部材６の面積が、削られてしまっていた。
このように、従来例２のオーディオモニタ７は、メータ，ランプ等の表示器類５の配設面積や、スイッチ，ボリューム等の操作部材６の配設面積が狭くなり、モニター機能にとって重要な表示面や操作面が制約されて犠牲になる、という問題がまず指摘されていた。
【０００７】
《従来例２の更なる問題点》
従来例２のオーディオモニタ７については、更に、次の問題も指摘されていた。まず、低音用スピーカ９用の音放出口１２自体も、規格サイズ規制の関係上、広い面積では設けられず、極めて小口径（中高音用スピーカ８のものより小口径）となっていた。そこで、音放出口１２を出入りする空気の振動に伴い、風切音が発生する、という問題が指摘されていた。
又、この従来例２のオーディオモニタ７において、低音用スピーカ９は、その音放出路１１の形成スペースの都合上、前面からの音波ではなく背面からの音波を、外部Ａへと放出する構造よりなっており、中高音用スピーカ８とは、前面からの音波が逆位相に設定されているものもあった。そして、低音用スピーカ９前面側と中高音用スピーカ８背面側とは、規格サイズ規制に鑑み、密閉された極めて小さなスピーカボックス１６，１７が、ぞれぞれ付設されていた。
そこでａ．低音用スピーカ９のスピーカボックス１６が小さな容積よりなるので、従来例２については、その分だけ低音再生が依然として十分でない、という問題が指摘されていた。
又ｂ．従来例２は、中高音用スピーカ８のスピーカボックス１７が小さな容積よりなるので、クロスオーバー周波数（ｆｃ）設定の自在性に乏しく、音質を任意に変えることができない、という指摘もあった。
更にｃ．従来例２では、中高音用スピーカ８と低音用スピーカ９とが、逆位相よりなるものもあり、振動タイミングが一致せず、打ち消し合ってしまう虞があり、低音再生や中高音再生上、問題となっていた。この面からも、依然として低音再生が十分でない、という指摘があった。
【０００８】
《本発明について》
本発明のラックマウント型のオーディオモニタは、このような実情に鑑み、上記従来技術の課題を解決すべくなされたものである。
そして本発明は、独自のスピーカ配置，独特の低音再生方式を採用したことにより、第１に、豊かな低音再生を実現でき、第２に、しかもこれは、表示面や操作面を制約，犠牲化することなく実現され、第３に、風切音も防止され、又、クロスオーバー周波数の自在性にも優れた、ラックマウント型のオーディオモニタを提案することを、目的とする。
【課題を解決するための手段】
【０００９】
《各請求項について》
このような課題を解決する本発明の技術的手段は、特許請求の範囲に記載したように、次のとおりである。
請求項１については、次のとおり。
請求項１のラックマウント型のオーディオモニタは、高さや横幅が規格サイズに規制されており、上下多段のラック内の狭小スペースにマウント収納可能であり、低音再生に優れている。
そしてユニットケース内に、電子回路およびスピーカユニットが内蔵されると共に、前面パネルに、表示器類および操作部材が配設されている。該スピーカユニットは、該前面パネルより内部側に後退させた位置に配設された中高音用スピーカと、該中高音用スピーカの更に後位置側に配設された低音用スピーカとを、備えている。
そして、該中高音用スピーカからの指向性の強い音波は、前方向に直進した後、該中高音用スピーカ前方の前面パネルに対応開口形成された音放出口から、外部放出される。該低音用スピーカからの指向性の弱い音波は、湾曲導出ガイドされた後、共通の該音放出口から、外部放出されること、を特徴とする。
【００１０】
請求項２については、次のとおり。
請求項２のラックマウント型のオーディオモニタでは、請求項１において、該低音用スピーカからの音波は、該中高音用スピーカと該音放出口との間に形成される前後間隔空間を、少なくとも経由して、該音放出口から外部放出されること、を特徴とする。
請求項３については、次のとおり。
請求項３のラックマウント型のオーディオモニタでは、請求項２において、該低音用スピーカからの音波は、まず、該ユニットケースの上下面パネルとの間に形成される上下間隔空間、更には、該前面パネルの表示器類および操作部材の裏側に形成される内部空間、そして該前後間隔空間、等にて形成されるユニットケース内の表側ゾーンを経由して、該音放出口から外部放出されること、を特徴とする。
請求項４については、次のとおり。
請求項４のラックマウント型のオーディオモニタでは、請求項２において、該音放出口は、該前面パネルに加え側面パネル前端部にかけて、広い放出面積で開口形成されること、を特徴とする。
【００１１】
請求項５については、次のとおり。
請求項５のラックマウント型のオーディオモニタでは、請求項２において、該中高音用スピーカと該低音用スピーカとは、放出する音波が同位相よりなると共に共通の音圧隔壁が設けられており、共通化されている分だけ容積が広くなった裏側密閉ゾーンを共用していること、を特徴とする。
請求項６については、次のとおり。
請求項６のラックマウント型のオーディオモニタでは、請求項２において、該ユニットケースは、ＥＩＡ国際標準規格に基づくサイズよりなり、高さが４０ｍｍ〜４５ｍｍ程度、横幅が４２０ｍｍ〜４５０ｍｍ程度で、奥行きが２００ｍｍ〜４００ｍｍ程度よりなる。又、該中高音用スピーカは、内部側に向け２０ｍｍ〜３０ｍｍ程度後退させた位置に、配設されていること、を特徴とする。
請求項７については、次のとおり。
請求項７のラックマウント型のオーディオモニタでは、請求項２において、該中高音用スピーカは、前方向に向けて配設されており、該低音用スピーカは、上下方向に向けて配設されていること、を特徴とする。
【００１２】
《作用等について》
本発明は、このような手段よりなるので、次のようになる。
（１）本発明のオーディオモニタは、中高音用スピーカを後退配設し、その後位置側に低音用スピーカを配設して、両者の音放出口を共用化したことを、特徴とする。
（２）中高音用スピーカからの指向性の強い音波は、前方向に直進した後、音放出口から外部放出される。
（３）低音用スピーカからの指向性の弱い音波は、ユニットケース内の表側ゾーン（上下間隔空間，内部空間，前後間隔空間）を経由して、湾曲導出ガイドされた後、音放出口から外部放出される。
（４）本発明は、音の性質に基づき、このような独自のスピーカ配置，独特の低音再生方式を採用したので、高さや横幅等が規格サイズに規制されているにもかかわらず、次のａ，ｂ，ｃ，ｄ，ｅにより、豊かな低音再生が実現される。
ａ．低音用スピーカを採用したこと。ｂ．その音波が、広い容積の表側ゾーンを経由した後、広い面積の音放出口から勢いよく放出されること。ｃ．中高音用スピーカと低音用スピーカが同位相よりなるので、音圧隔壁が共通化され、もって広い容積の裏側密閉ゾーンが形成されること。ｄ．音圧隔壁がヒートシンク機能を発揮するので、裏側密閉ゾーンを完全密閉でき、スピーカ表裏音波の打ち消し合いがないこと。ｅ．中高音用スピーカと低音用スピーカが同位相よりなるので、相互間で音波の打ち消し合いがないこと。
（５）そして、この豊かな低音再生は、スピーカ配置を工夫し、中高音用スピーカと低音用スピーカの音放出口を共用化することにより、実現されている。そこで、前面パネルが規格サイズに規制されているにもかかわらず、表示器類や操作部材の配設面積が、十分に確保されるようになる。
（６）音放出口は、共用化により広い面積で形成可能であり、風切音も発生しない。
（７）音圧隔壁２の共通化により、広い容積の裏側密閉ゾーンが形成されるので、中高音用スピーカのクロスオーバー周波数が、ある程度自在に設定可能である。
（８）さてそこで、本発明のオーディオモニタは、次の効果を発揮する。
【発明の効果】
【００１３】
《第１の効果》
第１に、圧倒的に豊かな低音再生が実現され、モニタ機能が向上する。本発明のラックマウント型のオーディオモニタは、規格サイズの規制下にあるにもかかわらず、ａ．まず、低音用スピーカを採用したことにより、特に前述したこの種従来例１に比し、豊かな低音再生が可能となる。
ｂ．更にこれに加え、低音用スピーカからの音波が、広い容積の表側ゾーンを経由した後、広い面積の音放出口から勢いよく外部放出されるので、前述したこの種従来例１，２に比し、この面からも豊かな低音再生が可能となる。
ｃ．中高音用スピーカと低音用スピーカについて、前述したこの種従来例２に比し、容積が広い裏側密閉ゾーン（スピーカボックス）が形成されるので、この面からも豊かな低音再生が可能となる。
ｄ．裏側密閉ゾーンが、放熱孔を形成することなく完全密閉されており、もってスピーカ前面の音波と背面の音波が打ち消し合う虞はなく、従来例１に比し、この面からも豊かな低音再生が可能となる。
ｅ．中高音用スピーカと低音用スピーカとは、前述したこの種従来例２のように、振動タイミングが一致せず音波が打ち消し合ってしまう虞がないので、この面からも豊かな低音再生が可能となる。
これらａ，ｂ，ｃ，ｄ，ｅにより、本発明のオーディオモニタは、規格サイズが規制されているにもかかわらず、特に３００Ｈｚ以下の低音域が良く出るようになり、音楽鑑賞にも耐え得る程度まで、圧倒的に豊かな低音再生が実現される。
著しい音質改善により、高音音質のみならず低音音質のモニタ機能が、前述したこの種従来例１，２に比し大きく向上する。オーディオ音質の確認，監視，チェック，分析，指示等が、より正確かつスムーズに行えるようになる。
【００１４】
《第２の効果》
第２に、しかも豊かな低音再生の実現は、表示面や操作面を制約，犠牲化することなく、実現される。
本発明のラックマウント型のオーディオモニタでは、中高音用スピーカと低音用スピーカの音放出口が共用されており、前述したこの種従来例２のように、低音用スピーカ専用の音放出口は設けられない。従って、規格サイズが規制されている前面パネルにおいて、表示機器類や操作部材の配置面積が、必要なだけ十分に広く確保されるようになる。
本発明では、モニター機能にとって重要な表示や操作が、この種従来例２のように制約されてしまい、犠牲となるようなことはない。
【００１５】
《第３の効果》
第３に、風切音も防止され、又、クロスオーバー周波数の自在性にも優れている。本発明のラックマウント型のオーディオモニタでは、中高音用スピーカと低音用スピーカの音放出口が共用化されており、その分、音放出口を広い面積で形成できるので、前述したこの種従来例２のように、風切音が発生することはない。
又、本発明のオーディオモニタでは、中高音用スピーカと低音用スピーカについて、広い容積の裏側密閉ゾーンが形成されている。そこで中高音用スピーカは、ある程度の低音再生能力も備えており、前述したこの種従来例２に比し、クロスオーバー周波数（ｆｃ）設定の自在性に優れており、再生音質を任意に変えることが可能である。
このように、この種従来例に存した課題がすべて解決される等、本発明の発揮する効果は、顕著にして大なるものがある。
【図面の簡単な説明】
【００１６】
【図１】本発明に係るラックマウント型のオーディオモニタについて、発明を実施するための形態の説明に供し、平面断面図である。
【図２】同発明を実施するための形態の説明に供し、側面断面図であり、（１）図は、図１のａ−ａ線に沿った矢視断面図、（２）図は、図１のｂ−ｂ線に沿った矢視断面図である。
【図３】同発明を実施するための形態の説明に供し、内部斜視図である。
【図４】この種従来例の説明に供し、（１）図は、従来例１の外観斜視図、（２）図は、従来例２の要部の平面断面図である。
【図５】（１）図は、ラックの斜視説明図、（２）図は、オーディオモニタのサイズ説明図である。
【発明を実施するための形態】
【００１７】
以下、本発明を実施するための形態について、詳細に説明する。
《本発明の概要》
まず、図１〜図３，図５を参照して、本発明のラックマウント型オーディオモニタ１８の概要について、説明する。
このオーディオモニタ１８は、高さＨや横幅Ｗ等が規格サイズに規制されており、上下多段のラックＢ内の狭小スペースに、マウント収納可能となっている。そしてユニットケース１９内に、電子回路Ｃおよびスピーカユニット２０が内蔵されると共に、前面パネル３に、表示器類５および操作部材６が配設されている。
スピーカユニット２０は、前面パネル３より内部側に後退させた位置に配設された中高音用スピーカ２１と、中高音用スピーカ２１の更に後位置側に配設された低音用スピーカ２２とを、備えている。
そして、中高音用スピーカ２１からの指向性の強い音波Ｄは、前方向に直進した後、中高音用スピーカ前方の前面パネル３に対応開口形成された音放出口２３から、外部Ａへと放出される。低音用スピーカ２２からの指向性の弱い音波Ｅは、湾曲導出ガイドされた後、共通の音放出口２３から、外部Ａへと放出される。
本発明の概要は、このようになっている。以下、本発明について更に詳述する。
【００１８】
《オーディオモニタ１８等について》
まず、オーディオモニタ１８等について、図５を参照して、一般的に説明する。例えば、放送局の調整室等では、対象オーディオについて、音質等の確認，監視，チェック，分析，指示用に、オーディオモニタ１８（１，７）が、使用されている。
そしてオーディオモニタ１８は、上下多段の棚であるラックＢ内の狭小スペースに、マウント収納されて、使用に供される（勿論、ラックＢ外にて使用に供することも可能である）。
このように、オーディオモニタ１８のユニットケース１９は、他のオーディオ用の電子機器やその他の電子機器のユニットケースと共に、ラックＢ内にそれぞれマウント収納されるが、その高さＨや横幅Ｗ等が規格サイズに規制されている。この規格サイズとしては、ＥＩＡ（米国電子機械工業会）の国際標準規格（いわゆる１ＲＵサイズ）の規格仕様サイズが、一般的となっている。
【００１９】
もって、オーディオモニタ１８のユニットケース１９も、この規格サイズのもと、高さＨが４０ｍｍ〜４５ｍｍ程度、横幅Ｗが４２０ｍｍ〜４５０ｍｍ程度で、奥行きＺが２００ｍｍ〜４００ｍｍ程度に、規制されている。図示したユニットケース１９は、高さＨが４４ｍｍ、横幅Ｗが４３０ｍｍ、奥行きＤが３５０ｍｍよりなる。
もって、オーディオモニタ１８のユニットケース１９は、扁平箱状をなし、前面パネル３（フロントパネル）、両側面パネル１４（シャーシ）、上面パネル１３（カバー）、下面パネル２４（シャーシ）、背面パネル２５（リヤパネル）、等を備えている。
そして後部内に、プリアンプ，メインアンプ等の電子回路Ｃが内蔵されると共に、前部内に、スピーカユニット２０が内臓されている。前面パネル３中央部表面には、レベルメータ，パイロットランプ等の表示器類５、および、スイッチ，ボリューム等の操作部材６が、配設されている。
オーディオモニタ１８は、概略このようになっている。
【００２０】
《スピーカユニット２０について》
次に、スピーカユニット２０について、図１〜図３を参照して説明する。オーディオモニタ１８は、アナログステレオモニタ方式やデジタルステレオモニタ方式よりなり、スピーカユニット２０は、中高音用スピーカ２１と低音用スピーカ２２とを備えている。
まず中高音用スピーカ２１は、ユニットケース１９内の前部前側の左右両サイドコーナーに、各１個ずつ前方向に向けて配設されており、図示例では、縦横４０ｍｍ×７０ｍｍの楕円スピーカが使用されている。
そして中高音用スピーカ２１は、前面パネル３より内部側に後退させた位置、例えば内部側に向け２０ｍｍ〜３０ｍｍ程度、或いはそれ以上、後退させた位置において、垂直面縦向きの音圧隔壁２６等に取付けられている。
これに対し低音用スピーカ２２は、ユニットケース１９内の前部後側に複数個、上下方向に向けて配設され、水平面横向きの音圧隔壁２６等に取付けられている。
すなわち、低音用スピーカ２２として、低音再生に有利な通常の大口径スピーカは、規格サイズ規制の関係上使用できないので、図示例では、最低共振周波数（ｆｏ）の低い径８０ｍｍの丸型スピーカが、使用されている。そして、この低音用スピーカ２２は、下方向に向けられると共に、複数個図示例では４個が、相互間に小間隔を存しつつ、ユニットケース１９内を左右方向に横断するように、ライン状に列設されている。
図示例の低音用スピーカ２２は、後退位置の左右の中高音用スピーカ２１の真後に、それぞれ１個ずつ配設されると共に、この左右の１個の間に、更に２個配設され、もって計４個が配設されている。
スピーカユニット２０は、このようになっている。
【００２１】
《音圧隔壁２６等について》
次に、音圧隔壁２６等について、図１〜図３を参照して説明する。まず、このスピーカユニット２０において、中高音用スピーカ２１と低音用スピーカ２２とは、前面から放出する音波が同位相よりなる。従って、中高音用スピーカ２１背面から放出される音波Ｄ’と、低音用スピーカ２２背面から放出される音波Ｅ’も、同位相よりなる。
そこで、共通の音圧隔壁２６を設けることができ、もって形成される裏側密閉ゾーンＧを共用できるので、裏側密閉ゾーンＧは極めて広い容積よりなる。すなわち、ユニットケース１９内を前後に区画する縦横の音圧隔壁２６により、ユニットケース１９内は、前側の表側ゾーンＦと後側の裏側密閉ゾーンＧとに、大きく区画されており、極めて広い空間が裏側密閉ゾーンＧ（スピーカボックス）となっている。
このように、上面パネル１３，両側面パネル１４，背面パネル２５，下面パネル２４等で囲まれると共に、電子回路Ｃを内蔵した広いスペースに、裏側密閉ゾーンＧが形成されている。
【００２２】
さて音圧隔壁２６は、スピーカ表裏音波の遮断機能を発揮すると共に、電子回路Ｃのジュール熱のヒートシンク機能を発揮する。もって音圧隔壁２６としては、共振しにくいと共に熱伝導率の高い板材、例えば厚手のアルミ板が使用される。
まず音圧隔壁２６は、周知のごとくバッフル板として音波遮断機能を発揮する。すなわち音圧隔壁２６は、中高音用スピーカ２１前面から放出される音波Ｄと、背面から放出される逆位相の音波Ｄ’とを、仕切って分離，遮断する。同時に、低音用スピーカ２２の前面から放出される音波Ｅと、背面から放出される逆位相の音波Ｅ’とを、仕切って分離，遮断する。
これと共に、音圧隔壁２６は、ヒートシンク機能を発揮する。すなわち、音圧隔壁２６にて区画された裏側密閉ゾーンＧは、電子回路Ｃを内蔵しているが、この電子回路Ｃはアンプ等よりなり、ジュール熱にて発熱する。そこで、裏側密閉ゾーンＧが温められて温度上昇し、音圧隔壁２６も裏側から温度上昇する。
これに対し音圧隔壁２６は、表側ゾーンＦを大量に流れる空気にて、表側から冷却される。従って音圧隔壁２６は、裏側密閉ゾーンＧ内の温度上昇した空気を冷却し、その内部温度を２℃〜３℃程度下げるヒートシンクとしての機能する。つまり、電子回路Ｃのヒートシンクとして機能する。
音圧隔壁２６等は、このようになっている。
【００２３】
《放出音波Ｄ，Ｅについて》
次に、中高音用スピーカ２１や低音用スピーカ２２から放出される音波Ｄ，Ｅについて、図１〜図３を参照して説明する。
中高音用スピーカ２１前面から放出される中高音の音波Ｄは、スピーカ正面へ向けての放出エネルギーが極めて大であり、指向性，直進性が強い。これに対し、低音用スピーカ２２前面から放出される例えば３００Ｈｚ以下の低音域の音波Ｅは、指向性，直進性が弱い。
そこで本発明では、このような音の性質を利用して、前述したように、音源位置としてのスピーカ配置が工夫されている。
【００２４】
まず、前方向に向けられた中高音用スピーカ２１は、前方の前面パネル３に対応開口形成された音放出口２３が、十分な開口面積を備えてさえいれば、前面パネル３より内部側，奥側に少々後退させた位置に配設しても、その音波Ｄの指向性，直進性に基づき、音量や音質への悪影響は殆どみられない。
そこで前述したように、中高音用スピーカ２１は、前面パネル３より内部側に後退配設されている。そして、前面から放出された音波Ｄは、前方向に直進した後、前面パネル３に形成された音の出口である音放出口２３から、外部Ａへと放出される。
なお音放出口２３は、前面パネル３の左右に切欠き形成されるが、図示例では、前面パネル３に加え側面パネル１４前端部にかけて、それぞれ連続的に切欠き形成されている。これにより音放出口２３について、より広い開口面積そして音放出面積が得られるようになる。又、外観デザインの独創性も得られる。
【００２５】
さてこれに対し、低音用スピーカ２２は、放出される音波Ｅの指向性，直進性が弱いので、その配置に自在性が存している。低音用スピーカ２２前面からの指向性，直進性の弱い音波Ｅは、湾曲導出ガイドしても、音量や音質への悪影響は殆どみられない。
そこで前述したように、低音用スピーカ２２は、中高音用スピーカ２１の配設位置より更に後位置側に配設されると共に、上下方向に向けられている。中高音用スピーカ２１の後側や、前面パネル３の表示器類５や操作部材６の後側で、前方が遮断された位置で、しかも上下方向に向けて配置されている。
そして、このような低音用スピーカ２２前面から放出された音波Ｅは、次のように、ユニットケース１９内の表側ゾーンＦを経由することにより、湾曲導出ガイドされる。
すなわちまず、ユニットケース１９の下面パネル２４との間に形成される上下間隔空間Ｌ、→更には、前面パネル３の表示器類５や操作部材６の裏面側に形成される内部空間Ｊ、→そして、中高音用スピーカ２１と音放出口２３との間に形成される前後間隔空間Ｋ等を経由して、→音放出口２３から外部Ａへと放出される。勿論、内部空間Ｊを経由することなく放出される音波Ｅも存在する。
【００２６】
又、低音用スピーカ２２の個数を増やし（図示例では４個）、スピーカコーンの振動面積，ピストン運動面積を増大させておくことにより、音放出口２３から外部Ａへと、音波Ｅが勢いよく放出される。
すなわち、ユニットケース１９内において、上下間隔空間Ｌ，内部空間Ｊ，前後間隔空間Ｋ等にて形成される表側ゾーンＦは、低音用スピーカ２２，中高音用スピーカ２１，表示器類５，操作部材６等との寸法関係や位置関係に鑑み、広い容積で形成され大量の空気が存している。
もって、広い振動面積の低音用スピーカ２２前面から放出された音波Ｅは、表側ゾーンＦに蓄えてある大量の空気を振動させて、空気を大量に流し，出入りさせることにより、音放出口２３から勢いよく放出される。音放出口２３から、空気が大量に流れ，出入りして外部Ａへと放出され、その空気振動が、外部Ａに強力に伝えられる。
放出音波Ｄ，Ｅについては、以上のとおり。
【００２７】
《作用等》
本発明のラックマウント型のオーディオモニタ１８は、以上説明したように構成されている。そこで、以下のようになる。
（１）本発明のオーディオモニタ１８は、中高音用スピーカ２１を、前面パネル３から内部側に例えば２０ｍｍ〜３０ｍｍ程度後退させた位置にて、前方向に向けて配設してなる。これと共に、その更に後位置側に低音用スピーカ２２を、上下方向に向けて配設してなることを、特徴とする。
もって、前面パネル３において、中高音用スピーカ２１の音放出口２３と、低音用スピーカ２２の音放出口２３とを、共通化可能としたことを、特徴とする。
【００２８】
（２）そして、左右の中高音用スピーカ２１前面から放出された音波Ｄは、その強い指向性に基づき、前方向に直進した後、左右の音放出口２３から外部Ａへと放出される。
【００２９】
（３）これに対し、図示例では４個の低音用スピーカ２２前面から放出された音波Ｅは、指向性が弱いので、まず、ユニットケース１９内の表側ゾーンＦを経由して、つまり上下間隔空間Ｌ，内部空間Ｊ，前後間隔空間Ｋ等を経由して、湾曲導出ガイドされた後、左右の音放出口２３から外部Ａへと放出される。
【００３０】
（４）本発明のオーディオモニタ１８は、このような独特のスピーカ配置，低音再生方式を採用してなる。すなわち、中高音と低音との指向性の差異に着目して、スピーカ配置等を工夫したことにより、豊かな低音再生を実現する。
ユニットケース１９について、高さＨが４０ｍｍ〜４５ｍｍ程度で、横幅Ｗが４２０ｍｍ〜４５０ｍｍ程度の規格サイズに規制されているものの、次のａ，ｂ，ｃ，ｄ，ｅ等により、豊かな低音再生が可能となっている。
【００３１】
ａ．まず根本的には、中高音用スピーカ２１と共に、低音用スピーカ２２を採用したので、豊かな低音再生が可能となる。
【００３２】
ｂ．これに加え、低音用スピーカ２２からの音波Ｅは、ユニットケース１９内の広い容積の表側ゾーンＦ（つまり上下間隔空間Ｌ，内部空間Ｊ，前後間隔空間Ｋ等）を経由した後、広い面積の音放出口２３から、外部Ａへと勢いよく放出される。
このように、空気が大量に流れ，出入りして、外部Ａへと放出され、その空気振動が外部Ａに強力に伝わるので、この面からも、豊かな低音再生が可能となる。
【００３３】
ｃ．中高音用スピーカ２１と低音用スピーカ２２とは、前面から放出される音波Ｄ，Ｅが同位相よりなり、背面から放出される音波Ｄ’，Ｅ’も同位相（音波Ｄ，Ｅの逆位相）よりなる。そこで、表裏の音波ＤとＤ’間や、表裏の音波ＥとＥ’間を遮断する音圧隔壁２６を、共通化可能である。
そこで、このように共通化された音圧隔壁２６により、ユニットケース１９内に、広い容積の裏側密閉ゾーンＧ（スピーカボックス）が形成されるので、この面からも、豊かな低音再生が可能となる。
【００３４】
ｄ．音圧隔壁２６は、前述により大量に流れ，出入りして外部Ａへと放出される空気にて冷却され、もってユニットケース１９後部に内蔵された電子回路Ｃのヒートシンクとして機能する。そこで裏側密閉ゾーンＧは、電子回路Ｃのジュール熱による発熱に配慮する必要がなくなり、放熱孔１５（図４の（１）図を参照）を形成する必要がなく、完全密閉されている。
このような完全密閉により、中高音用スピーカ２１について、前面からの音波Ｄと背面からの逆位相の音波Ｄ’とが、干渉して打ち消し合う虞はない。低音用スピーカ２２について、前面からの音波Ｅと背面からの逆位相の音波Ｅ’とが、干渉して打ち消し合う虞もない。もってこの面からも、豊かな低音再生が可能となる。
【００３５】
ｅ．中高音用スピーカ２１と低音用スピーカ２２とは、前面からの放出音波ＤとＥが同位相よりなる。そこで、音波ＤとＥの振動タイミングが一致せず、打ち消しあってしまう虞もなく、もってこの面からも、豊かな低音再生が可能となる。
【００３６】
（５）そして、このような豊かな低音再生は、前述したように、音の性質に基づきスピーカ配置等を工夫したことにより、実現される。
すなわち、本発明のオーディオモニタ１８は、中高音用スピーカ２１を後退配設すると共に、その後位置側に低音用スピーカ２２を配設したことにより、中高音用スピーカ２１と低音用スピーカ２２について、各々専用の音放出口を個別に設けることなく、両者の音放出口２３を共用化してなる。
そこで、ユニットケース１９の高さＨや横幅Ｗが規格サイズに規制されているにもかかわらず、前面パネル３において、表示器類５や操作部材６の配設面積が影響を受けて、削られ，狭くなるようなことはない。
このように、中高音用スピーカ２１に加え低音用スピーカ２２を採用したにもかかわらず、その音放出口２３と併存しつつ、表示器類５や操作部材６の配設面積が、広く必要十分に確保されるようになる。
【００３７】
（６）本発明のオーディオモニタ１８では、上述したように音放出口２３が共用化されており、専用音放出口を個別に形成するより、音放出口２３を広い面積で形成可能である。従って、風切音が発生することも無い。すなわち、音放出口１２から外部Ａへと放出される音波Ｄ，Ｅ、つまり外部Ａへの空気の振動，流れにて、風切音が発生するようなことも無い。
【００３８】
（７）本発明のオーディオモニタ１８では、音圧隔壁２６が共通化され、広い容積の裏側密閉ゾーンＧが形成されている。そこで中高音用スピーカ２１は、ある程度の低音再生能力も備えており、低音用スピーカ２２との間でのクロスオーバー周波数（ｆｃ）設定の自在性に、優れている。
【００３９】
（８）ところで、図示例のスピーカユニット２０は、中高音用スピーカ２１と低音用スピーカ２２との２ウェイスピーカシステムよりなっているが、本発明は、これに限定されるものではない。
すなわち、中高音用スピーカ２１が更に、高音用のツイーターと中音用のスコーカーとに分けて構成され、もってウーハーの低音用スピーカ２２と共に、３ウェイスピーカシステムのスピーカユニット２０とすることも、可能である。
この場合、中高音用スピーカ２１を構成するツイーターとスコーカーとは、横並びで同一面、つまり垂直面縦向の音圧隔壁２６に配設され、もって、前後間隔空間Ｋを介して共通の音放出口２３と対峙している。このような３ウェイスピーカシステムのスピーカユニット２０等について、その他の構成，機能，作用等は、上述してきた図示例に準じるので、その説明は省略する。
本発明の作用等については、以上の通り。
【符号の説明】
【００４０】
１  オーディオモニタ（従来例）
２  ユニットケース
３  前面パネル
４  中高音用スピーカ（従来例）
５  表示器類
６  操作部材
７  オーディオモニタ（従来例）
８  中高音用スピーカ（従来例）
９  低音用スピーカ（従来例）
１０  ユニットケース
１１  音放出路
１２  音放出口
１３  上面パネル
１４  側面パネル
１５  放熱孔
１６  スピーカボックス
１７  スピーカボックス
１８  オーディオモニタ（本発明）
１９  ユニットケース
２０  スピーカユニット
２１  中高音用スピーカ（本発明）
２２  低音用スピーカ（本発明）
２３  音放出口
２４  下面パネル
２５  背面パネル
２６  音圧隔壁
Ａ  外部
Ｂ  ラック
Ｃ  電子回路
Ｄ  音波
Ｄ’音波
Ｅ  音波
Ｅ’音波
Ｆ  表側ゾーン
Ｇ  裏側密閉ゾーン
Ｈ  高さ
Ｊ  内部空間
Ｋ  前後間隔空間
Ｌ  上下間隔空間
Ｗ  横幅
Ｚ  奥行き
【図１】
2011166471.tif 000003
【図２】
2011166471.tif 000004
【図３】
2011166471.tif 000005
【図４】
2011166471.tif 000006
【図５】
2011166471.tif 000007